(57)【要約】      （修正有）【課題】接着剤が形成されたシートを折り畳んで隠蔽葉書等を作成するシート折り畳み接着装置に関し、手差し挿入によるジャミングを防止して位置決め挿入し易くさせる。【解決手段】接着剤が形成されたシートが装置設置面に対して平面状態で供給されて折り畳まれた折り畳みシートを、装置設置面に対して垂直方向に形成された垂直空間領域５１の底部に落とし込み、折り畳みシートを縦方向のままで装置設置面に対して水平搬送部５４で水平方向に搬送して当該シートを縦方向のままで立設された圧着ローラ６１Ａ，６１Ｂで圧着するものとして、水平搬送部５４の上流側に連通して装置側部に手差し挿入口２４が設けられ、縦方向のまま手差しにより折り畳まれた折り畳みシート４１Ｃが挿入されて水平搬送部５４で圧着ローラ６１Ａ，６１Ｂに搬送させる構成とする。【選択図】図５
2014105111.tif 000002
【特許請求の範囲】
【請求項１】
接着剤が形成されたシートを装置設置面に対して平面状態で供給する供給部と、
供給された前記シートを折り畳んで折り畳みシートとする折り部と、
装置設置面に対して垂直方向に垂直空間領域が形成され、前記折り部より折り畳みシートを受け入れて縦方向として当該垂直空間領域の底部に落とし込み搬送する垂直搬送部と、
前記垂直空間領域の側面に設けられ、前記垂直搬送部から縦方向で送られてくる前記折り畳みシートを縦方向のまま装置設置面に対して水平方向に搬送する水平搬送部と、
前記水平搬送部の下流側であって装置設置面に対して軸方向垂直に設けられ、当該水平搬送部より送られてくる折り畳みシートを加圧接着する圧着ローラと、
前記水平搬送部の上流側に連通して装置側部に設けられ、折り畳まれた折り畳みシートを縦方向のまま手差しにより受け入れて当該水平搬送部で前記圧着ローラに搬送させるための手差し挿入口と、
を有することを特徴とするシート折り畳み接着装置。
【発明の詳細な説明】
【技術分野】
【０００１】
本発明は、接着剤が形成されたシートを折り畳んで隠蔽葉書等を作成するシート折り畳み接着装置に関する。
【背景技術】
【０００２】
近年、隠蔽葉書等のような再剥離可能な感圧接着剤で隠蔽情報を形成させた面を圧着させた送付体が多用されている。このような送付体は、所定情報が印刷されて感圧接着剤が塗布されたシートをＶ折り、Ｚ折り、巻き込み折りなど所定形状で折り畳んだ後、圧着ローラで所定の圧力を加えて接着させることで作製され、これら一連の工程を行う装置が知られている。このような装置は、シートの連続供給と共に、手差しにより供給できるようにも施されており、手差し機能の付加による弊害を回避する必要がある。
【０００３】
従来、シートを折り畳んで圧着させる装置として以下の特許文献等で知られている。特許文献１は、本願出願人による特許公報文献であり、感圧接着剤が塗布されたシートが装置設置面に対して平面状態で供給されて折り畳まれた折り畳みシートを、装置設置面に対して縦方向に垂直搬送空間が形成された搬送部内に落とし込み、折り畳みシートを縦方向のままで装置設置面に対して水平方向に搬送して当該シートを縦方向のままで圧着ローラで圧着する構成として開示している。
【０００４】
また、特許文献２，３は、これにおいても本願出願人による特許公報文献であり、重ね合わせ接着用用紙が装置設置面に対して平面状態で搬送され、同方向の軸方向で設けられた圧着ローラに対して搬送ベルトにより送り込まれて圧着させるものであり、当該圧着ローラの前段階で斜め上方から重ね合わせ接着用用紙を搬送ベルト上に手差し供給する手差し用用紙挿入部が設けられ、手差し挿入された重ね合わせ接着用用紙を圧着ローラで圧着させることを開示している。
【先行技術文献】
【特許文献】
【０００５】
【特許文献１】特開２０１２−１７１７９２号公報
【特許文献２】特開平０９−２７２６５３号公報
【特許文献３】特開平０７−２９１５１７号公報
【発明の概要】
【発明が解決しようとする課題】
【０００６】
ところで、上記のような接着装置に手差し挿入の機構を設ける場合、特許文献２，３のように斜め上方から挿入させるものが一般的であり、これを特許文献１記載の装置に適用することも可能である。しかしながら、特許文献１記載の装置に限らず、上方より挿入する手差し挿入機構を設けることは、圧着ローラまで搬送する搬送ベルトのような搬送部に合流させて挿入することとなり、斜め挿入などの位置決めにバラツキを生じやすいと共に、ジャミングも生じやすいという問題がある。
【０００７】
そこで、本発明は上記課題に鑑みなされたもので、手差し挿入によるジャミングを防止して位置決め挿入し易くさせるシート折り畳み接着装置を提供することを目的とする。
【課題を解決するための手段】
【０００８】
上記課題を解決するために、請求項１の発明では、接着剤が形成されたシートを装置設置面に対して平面状態で供給する供給部と、供給された前記シートを折り畳んで折り畳みシートとする折り部と、装置設置面に対して垂直方向に垂直空間領域が形成され、前記折り部より折り畳みシートを受け入れて縦方向として当該垂直空間領域の底部に落とし込み搬送する垂直搬送部と、前記垂直空間領域の側面に設けられ、前記垂直搬送部から縦方向で送られてくる前記折り畳みシートを縦方向のまま装置設置面に対して水平方向に搬送する水平搬送部と、前記水平搬送部の下流側であって装置設置面に対して軸方向垂直に設けられ、当該水平搬送部より送られてくる折り畳みシートを加圧接着する圧着ローラと、前記水平搬送部の上流側に連通して装置側部に設けられ、折り畳まれた折り畳みシートを縦方向のまま手差しにより受け入れて当該水平搬送部で前記圧着ローラに搬送させるための手差し挿入口と、を有する構成とする。
【発明の効果】
【０００９】
本発明によれば、接着剤が形成されたシートが装置設置面に対して平面状態で供給されて折り畳まれた折り畳みシートを、装置設置面に対して垂直方向に形成された垂直空間領域の底部に落とし込み、折り畳みシートを縦方向のままで装置設置面に対して水平搬送部で水平方向に搬送して当該シートを縦方向のままで立設された圧着ローラで圧着するものとして、水平搬送部の上流側に連通して装置側部に手差し挿入口が設けられ、縦方向のまま手差しにより折り畳まれた折り畳みシートが挿入されて水平搬送部で圧着ローラに搬送させる構成とすることにより、手差し挿入口より垂直空間領域に手差しされる折り畳みシートが垂直搬送部より送られてくる折り畳みシートと同じ位置に挿入させることが可能となり、手差し挿入によるジャミングを防止して位置決め挿入し易くさせることができるものである。
【図面の簡単な説明】
【００１０】
【図１】本発明に係るシート折り畳み接着装置の外観図である。
【図２】装置内部の垂直空間領域の説明図である。
【図３】主要構成概念図である。
【図４】シート折り畳み接着装置の連続給紙の動作説明図である。
【図５】シート折り畳み接着装置の手差し給紙の動作説明図である。
【発明を実施するための形態】
【００１１】
以下、本発明の実施形態を図により説明する。
図１に本発明に係るシート折り畳み接着装置の外観図を示す。図１（Ａ）、（Ｂ）において、シート折り畳み接着装置１１は、シート圧着本体１２とスタッカ部１３とにより構成される。
【００１２】
シート圧着本体１２は、外観上、上下動自在なシート供給台からなるシート供給部２１、折り部２２及び作動スイッチ等の操作パネル２３を備える。そして、装置側部であって、スタッカ部１３と反対側に手差し挿入口２４（図３で説明する）が設けられる。上記シート供給部２１には連続的に供給される折り畳み用の単葉のシート４１がセットされる。内部構造は図２、図３で説明する。
【００１３】
上記各シート４１は、図示しないが、接着剤として感圧接着剤がシートの片面又は両面に対して全体又は一部（例えば周縁、縞模様等）に塗布形成され、また、所定情報が印刷されたものである。なお、感圧接着剤としては、従前のものであって所定圧力を加えることで接着し、剥離可能又は強接着のもので、目的に応じて適宜使用されるものである。ここでは、各シート４１は、余白付き単片用紙若しくは控え片付き単片用紙、又は、葉書３枚分若しくは４枚分等の面積の単片用紙を対象としている。
【００１４】
スタッカ部１３は、後述の垂直状態の圧着ローラで圧着された折り畳み接着シート４２の排出位置が押さえ壁３１として設けられ、排出口をテーパ３４としている。この押さえ壁３１には排出されてくる折り畳み接着シート４２の先端を規制するスライド自在な先端規制板３２が設けられる。また、押さえ壁３１より装置前面側にスライド自在であって、当該押さえ壁３１側に付勢させた重ね押さえ板３３が設けられるもので、排出口から順次折り畳み接着シート４２が排出されたときに先端規制板３２で規制され、押さえ壁３１に沿って重ねられていくものである。
【００１５】
ここで、図２に装置内部の垂直空間領域の説明図を示すと共に、図３に主要構成概念図を示す。図２（Ａ）〜（Ｃ）は、垂直空間領域５１を示したものであるが、シート圧着本体１２の内部構造としては、図示していないが、用紙送りローラ、カッタローラ（この実施形態では、各シートを葉書４枚分の面積の単片用紙として、中央より２つに裁断してそれぞれを圧着対象のシートとするものとしている）より、折り部２２の折り羽根、ローラ群に供給し、折り畳まれたシートが垂直空間領域に搬送される。
【００１６】
図２（Ａ）〜（Ｃ）において、垂直空間領域５１は、装置設置面に対して垂直方向（縦方向）に垂直空間が形成され、折り部２２より折り畳みシートを受け入れて当該縦方向として落とし込むものあり、領域内壁部５１Ａと領域外壁部５１Ｂとにより装置横方向に形成される。当該垂直空間領域５１の幅（領域内壁部５１Ａと領域外壁部５１Ｂとの距離）をカールを最小に矯正するように狭小とすることが望ましい。
【００１７】
垂直空間領域５１の領域内壁部５１Ａ側に折り部２２より送られてくる折り畳みシートの受け入れ部分であって、装置横方向に垂直送りローラ５２（ローラ５２Ａ〜５２Ｄ）が配置され、垂直空間を挟んで領域外壁部５１Ｂ側に当該垂直送りローラ５２に対向して対応の送り押さえローラ５３（５３Ａ〜５３Ｄ）が配置される。当該垂直送りローラ５２及び送り押さえローラ５３により垂直送りローラ部を構成する。
【００１８】
垂直送りローラ５２は、折り部２２から受け入れた折り畳みシートを縦方向の垂直空間領域５１内に落とし込むべく回転される。また、送り押さえローラ５３は、垂直送りローラ５２に対して付勢されて当接状態とさせて垂直送りローラ５２の送りを補助する。この送り押さえローラ５３は、例えば手動により垂直送りローラ５２に当接させないように解除させることもできる。例えば、比較的小さな折り畳みシートの場合には当接させ、大きな折り畳みシートの場合には当接解除とさせるものである。当接解除させる場合には、垂直空間領域５１の上方側に折り畳みシートが落とし込まれて底部でバウンドしたときの跳ね返りを規制する規制片を形成してもよい。
【００１９】
垂直空間領域５１の側面であって、領域内壁部５１Ａ側に、装置設置面に対して水平状態で駆動される搬送ベルト５４が設けられる。すなわち、搬送ベルト５４は、装置横方向を搬送方向として折り畳みシートを縦方向のまま圧着ローラ（図３の６１Ａ，６１Ｂ）に送り出すシート縦搬送を行う。
【００２０】
また、搬送ベルト５４に対して垂直空間を挟んで押さえローラ部を構成する搬送押さえローラ５５（５５Ａ〜５５Ｃ）が対向配置される。当該搬送押さえローラ５５は、折り畳みシートが垂直空間領域５１の底部に落とし込まれたときに当該折り畳みシートを搬送ベルト５４側に押し込むべく駆動して当該搬送ベルト５４との挟持状態で当該搬送ベルト５４による搬送を補助する役割をなす。この搬送押さえローラ５５の駆動機構は図示を省略するが、例えば、ソレノイドにより駆動される。
【００２１】
領域内壁部５１Ａ側の底部近傍に所定数（ここでは３個）の位置センサ５６Ａ〜５６Ｃがシート位置検出部として配置される。この位置センサ５６Ａ〜５６Ｃは、一つとして垂直空間領域５１内に落とし込まれた折り畳みシートを検知して上記搬送押さえローラ５５を駆動させる。また、検知時間計測によって当該折り畳みシートの搬送不備（ジャム）を検出させることもできる。ところで、当該位置センサ５６Ａ〜５６Ｃは、垂直空間領域５１の底部に設けることは必ずしも必要ではない。例えば、折り部２２の出口や、上方側等に設けてもよい。この場合、検知してから所定時間経過後に搬送押さえローラ５５を駆動させることができる。
【００２２】
そして、図１の装置側部に形成された手差し挿入口２４の近傍であって、搬送ベルト５４の最上流側に手差しセンサ５６Ｄが設けられる。この手差しセンサ５６Ｄは、手差し挿入口２４より折り畳みシートが挿入されたことを検知して、水平搬送部である搬送ベルト５４を駆動させるためのものである（搬送ベルト５４が駆動中であってもよい）。
【００２３】
全体的に、図３において、折り部２２は、従前の機構のものであり、図示しない折り羽根及び折りローラ群を備える。この実施形態では、各圧着対象のシート（４１Ａ，４１Ｂ）をＶ折りして折り畳みシートとする場合として示しており、２つの折り羽根と５つの折りローラ群で構成される。なお、圧着形態（折り形態）としては、他にＺ折りや巻き込み折り等とすることもできる。ただし、Ｖ折りやＺ折りなどで折り後の折り畳みシートにおける送り方向の長さが異なってくるために、当該長さに応じて当該折りローラ群の最終ローラと後述の垂直空間領域５１の受け入れ口との配置距離が設定される。
【００２４】
折り部２２からの出力側から垂直空間領域５１となり、垂直送りローラ５２、送り押えローラ５３の下方の垂直空間領域５１の底部近傍に水平搬送部である搬送ベルト５４、搬送押さえローラ５５が配置される。なお、位置センサ５６Ａ〜５６Ｃは図示を省略してある。
【００２５】
搬送ベルト５４の下流側には、装置設置面に対して軸方向垂直に設けられ、当該水平搬送部より送られてくる折り畳みシートを加圧接着して排出する圧着ローラ６１Ａ，６１Ｂが設けられる。当該圧着ローラ６１Ａ，６１Ｂは、搬送ベルト５４の搬送出口に、装置設置面に対して軸方向垂直に設けられる。当該圧着ローラ６１Ａ，６１Ｂは、搬送ベルト５４から搬送されてくる折り畳みシートを縦方向のままで加圧して接着するためのもので、圧着後は上記スタッカ部１３に排出する。
【００２６】
また、装置側部に設けられた手差し挿入口２４は、搬送ベルト５４の上流側に連通し、折り畳まれた折り畳みシートを縦方向のまま手差しにより垂直空間領域５１の底部を基準に受け入れるもので、搬送ベルト５４で圧着ローラ６１Ａ，６１Ｂに搬送させるものである。
【００２７】
そこで、図４にシート折り畳み接着装置の連続給紙の動作説明図を示すと共に、図５にシート折り畳み接着装置の手差し給紙の動作説明図を示す。図４は、シート供給部２１より供給される接着対象のシート４１を折り畳み接着シートとする場合を示したもので、操作パネル２３の作動スイッチにより用紙送りローラや折り部２２のローラ群、垂直送りローラ５２、搬送ベルト５４及び圧着ローラ６１Ａ，６１Ｂが駆動される。
【００２８】
すなわち、シート供給部２１上に搭載されたシート４１群は、最上のシート４１が供給ローラにより水平状態で供給され、用紙送りローラで導かれ、カッタローラにより中央で裁断されて２枚の対象シート４１Ａ，４１Ｂとされるもので、ここでは図示を省略している。
【００２９】
各シート４１Ａ，４１Ｂは、２枚ともそのまま折り部２２の折りローラ群の最初の折りローラにより導かれ、図示しない折り羽根でＶ折りに加工される。そして、折りローラ群の最後の折りローラで折り畳みシート４１Ａ，４１Ｂとして垂直空間領域５１に送り出される。
【００３０】
垂直空間領域５１では、折り畳みシート４１Ａ，４１Ｂを送りローラ５２（５２Ａ〜５２Ｄ）及び送り押さえローラ５３（５３Ａ〜５３Ｄ）により縦方向で受け入れ、当該垂直空間領域５１内で下方に送り出して底部まで落とし込む。落とし込まれた折り畳みシート４１Ａ，４１Ｂを、位置センサ５６Ａ〜５６Ｃのうち、例えば位置センサ５６Ａとセンサ５６Ｃが共に検知したときに総ての搬送押さえローラ５５（５５Ａ〜５５Ｃ）を搬送ベルト５４側に駆動して折り畳みシート４１，４１Ｂを挟持する。
【００３１】
搬送ベルト５４及び搬送押さえローラ５５で挟持された折り畳みシート４１Ａ，４１Ｂは、当該搬送ベルト５４の搬送（このとき各搬送押さえローラ５５は搬送方向に回転する）で縦方向のまま圧着ローラ６１Ａ，６１Ｂに送り出されるものである。
【００３２】
そして、圧着ローラ６１Ａ，６１Ｂにおいて、まず折り畳みシート４１Ａが送り込まれて加圧接着することにより接着された折り畳み接着シート４２として上記スタッカ部１３に排出され、続いて折り畳みシート４１Ｂが送り込まれて加圧接着することにより接着された折り畳み接着シート４２として上記スタッカ部１３に排出されるものである。
【００３３】
続いて、図５において、手差し挿入口２４より折り畳まれた折り畳みシート４１Ｃが垂直空間領域５１の底部を基準に挿入されると、手差しセンサ５６Ｄがこれを検知する。この検知により、上記用紙送りローラや折り部２２のローラ群、垂直送りローラ５２の駆動は停止され（連続駆動でもよい）、搬送ベルト５４及び圧着ローラ６１Ａ，６１Ｂが駆動される。なお、操作パネル２３の作動スイッチが押されずに全体的に駆動が停止していた場合でも、手差しセンサ５６Ｄが挿入された折り畳みシート４１Ｃを検知した場合には、搬送ベルト５４及び圧着ローラ６１Ａ，６１Ｂは駆動を開始する。
【００３４】
手差し挿入口２４より挿入された折り畳みシート４１Ｃは、垂直空間領域５１の底部に当接したまま搬送ベルト５４で圧着ローラ６１Ａ，６１Ｂまで搬送され、当該圧着ローラ６１Ａ，６１Ｂで圧着された後に折り畳み接着シート４２として上記スタッカ部１３に排出されるものである。
【００３５】
このように、手差し挿入口２４より垂直空間領域５１の底部を基準に手差しされる折り畳みシート４１Ｃが垂直搬送部５２，５３より送られてくる折り畳みシート４１Ａ，４１Ｂと同じ位置（垂直空間領域５１の底部）に少なくともシートの一辺を規制させて挿入させることが可能となり、手差し挿入によるジャミングを防止して位置決め挿入し易くさせることができるものである。また、手差し挿入口２４を装置側部に設けることで、従前の装置上部に設けられる手差し機構に比べて装置の高さ方向の大型化を回避させることもできるものである。
【産業上の利用可能性】
【００３６】
本発明のシート折り畳み接着装置は、シートを折り畳み接着して葉書、封書、各種カード類を作製する産業に利用可能である。
【符号の説明】
【００３７】
１１            シート折り畳み接着装置
１２            シート圧着本体
１３            スタッカ部
２１            シート供給部
２２            折り部
２３            操作パネル
２４            手差し挿入口
３１            押え壁
３２            先端規制板
３３            押え板
３４            テーパ
４１            シート
４２            折り畳み接着シート
５１            垂直空間領域
５１Ａ，５１Ｂ  搬送壁
５２            垂直送りローラ
５３            送り押えローラ
５４            水平搬送ベルト
５５            搬送押さえローラ
５６Ａ〜５６Ｃ  位置センサ
５６Ｄ          手差しセンサ
６１Ａ，６１Ｂ  圧着ローラ
【図１】
2014105111.tif 000003
【図２】
2014105111.tif 000004
【図３】
2014105111.tif 000005
【図４】
2014105111.tif 000006
【図５】
2014105111.tif 000007